(57)【要約】【課題】  近年、携帯端末が急激に普及し、その撮影機能は従来型の写真機、動画撮影機に近づき、その利用の増加や多様化が進んでいる。また撮影時のシャッターと焦点合せの時間差＝レリーズタイムラグの要因で、思い通りの写真を記念に残すのが困難な場合が多かった。そのため、あらゆるシーンでの撮影者の意のままの撮影が求められてきた。  【解決手段】携帯端末の外装品に被撮影者の関心を引く物体、或はそれに音発生装置、発光装置、視覚情報を映し出す表示装置、物体の一部または総てを動かす駆動装置などの効果機能を保持させる事により、被撮影者の注意を引き撮影者が撮影する事ができる。また、撮影時の課題とされてきたレリーズタイムラグを逆利用し、その時間差に上記機能を被撮影者に効果的に届ける事が可能となり、結果として、撮影シーンに調和し、かつ効果的な写真/動画の撮影を実現する事を可能とした。【選択図】  図６
2017208695.tif 000002
【特許請求の範囲】
【請求項１】
携帯端末の背面またはその携帯端末に備え付けられるケースの背面に取付けられる外装品であって、携帯端末及びケースと着脱可能な取り付け部位を備え、
音を発生させる音波発生装置、または視覚情報を映し出す表示装置、または物体の一部または総てを動かす駆動装置のうちの少なくとも一つを保持する事を特徴とする外装品。
【請求項２】
携帯端末の背面カメラを用いて写真撮影する際、無線通信またはイヤホンジャック・導線を介して携帯端末と連動し、操作スイッチを押すと撮影機のシャッターが半押し状態、即ちオートフォーカス装置が作動し焦点調節を行っている状態の間、前記少なくとも一つの装置が作動を続け、当該外装品が視覚的あるいは聴覚的に人の注意を引く事を可能にしたことを特徴とする請求項１に記載の外装品。
【請求項３】
携帯端末の背面カメラを用いて動画撮影する際、無線通信またはイヤホンジャック・導線を介して携帯端末と連動し、撮影の一定の期間、前記少なくとも一つの装置が作動し、当該外装品が視覚的あるいは聴覚的に人の注意を引く事を可能にしたことを特徴とする請求項1に記載の外装品。
【請求項４】
携帯端末の背面またはその携帯端末に備え付けられるケースの背面に取付けられる外装品であって、携帯端末及びケースと着脱可能な取り付け部位を備え、
可視光線を発生させる発光装置を保持し、操作スイッチを押すことにより連動して作動する事を特徴とする外装品。
【請求項５】
前記外装品は携帯端末ケースであって、該携帯端末ケースが視覚的、聴覚的に人の注意を引くことが出来る部位を配する請求項１ないし請求項４に記載の外装品。
【発明の詳細な説明】
【技術分野】
【０００１】
本発明は、携帯端末に取付けて使用する外装品またはケースの構成に関する。        
【背景技術】
【０００２】
近年、携帯電話、スマートフォン等の携帯端末が急激に普及しており、所有者の「趣味の絵柄」「好みのキャラクター」や、「ファッション性を反映するデザインや意匠」をあしらった携帯端末の付属外装品が多数商品として開発され販売されている。
【０００３】
その中でも、装飾ケースやホールダー等の外装品は、携帯端末への取付け物体や部位の構造、またはキャラクター等の形象物を本体に取付ける方法について特許や実用新案の出願がなされている（例えば、特許文献１、特許文献２、及び、特許文献３参照。）。
【０００４】
また、その装飾品の中には、着信情報を報知する機能を配した発光装置を付帯し、用いられるものもあった（例えば、特許文献４参照。）。
【０００５】
ところが、これらの商品は主にファッション性やトレンド性を追求するデコレーションを活かすものや着信情報と言った単純機能を付帯するケースが多く、その商品にそれ以外の新たな機能や新たな特徴を保持する手段や手法を持たせたものは存在していない。 そのため、利用者の間ではデコレーションや着信報知などとは違った新たな機能を持ち、新たな付加価値を提供できる携帯端末に用いる外装品の開発が望まれていた。    
【先行技術文献】
【特許文献】
【０００６】
【特許文献１】特開２０１３−１５７７２７  公報
【特許文献２】特開２０００−２９６０１５  公報
【特許文献３】実用新案登録第３１０６２７９号  公報
【特許文献４】特開２００１−７８７６  公報
【発明の概要】
【発明が解決しようとする課題】
【０００７】
携帯端末の外装飾の多くは「趣味の絵柄」「好みのキャラクター」や、「ファッション性を反映するデザインや意匠」をあしらった物が殆どで、所有者自身の趣味、嗜好やファッションを表現するための手段としてのものであった。
【０００８】
また、その携帯端末の殆どに装備されている写真（静止画）および動画撮影機能に関しては、携帯電話端末に単なる付属した機能、言い換えれば従来型の写真機あるいは動画撮影機を補うための機器、或は一時的な即応的に写真撮影あるいは動画撮影が可能な機能を保持する「通信機器」して捉えられてきた。
【０００９】
また、携帯電話端末などのデジタル機器で撮影する際のシャッターボタンを押す、または撮影マークのタップ状態でオートフォーカス装置が作動し焦点調節を行っている焦点調整後、露光するまでに要する時間差（＝レリーズタイムラグ）の影響で、撮影者の思い通り、あるいは意図する撮影シーン、笑顔や所謂カメラ目線のナイス・ショットの表情で写真や動画記録として残せる確率が低かった。
【００１０】
更には、「従来型の写真または動画撮影機」、「携帯端末の写真または動画撮影機能」の何れにおいても被撮影者の個々人を引き付ける効果的な機能は無く、パパママや爺婆の素人写真家が、子や孫のスマイル写真や“所謂カメラ目線”の素敵な表情を撮るのは難しく、フォト・スタジオなどのプロの写真業者でさえも“ぬいぐるみ”や“鳴り物”を用いて乳幼児のスマイルの瞬間を狙って撮影するのが過去の通例であった。
【００１１】
この行為は、被撮影者が乳幼児に限らず、あらゆる年齢層に沿ったスマイルやその場面々々で適切な表情の瞬間を狙う際にも同様の状況であり、撮影のあらゆるシーンにおいて、被写体の個々人を引き付ける為の効果的な機能を保持したものは存在しない事に由来しているからであったが、昨今の携帯端末機の写真または動画撮影機能の発達や高性能化により、従来型の写真または動画撮影機に取って代わって活用が進んでおり、それに附した外装品が要求されるようになってきている。  
【００１２】
本発明は、写真または動画撮影機能の発達や高性能化に合わせて、携帯端末の外装品に今までには無かった、被撮影者の注意を引く効果を持たせることにより、撮影シーンに調和し、効果的な写真や動画の撮影を実現する事を目的とするものである。
【課題を解決するための手段】
【００１３】
本発明の内、請求項１に記載された発明は、携帯端末及びケースには操作面及びその背面に平面が多い構造である事に着目し、その平坦面に着脱可能な部位を介して取り付けられた被撮影者の関心を引くための外装品に音を発生させる音波発生装置、または視覚情報を映し出す表示装置、または物体の一部または総てを動かす駆動装置のうちの少なくとも一つの効果を付与できる外装品を用いた事を特徴とする。
【００１４】
請求項２に記載された発明は、請求項１に記載の発明において、携帯端末の背面カメラを用いて写真撮影する際、シャッターと焦点調節の時間差＝レリーズタイムラグがある事に着目し、無線通信またはイヤホンジャック・導線を介して携帯端末と連動し、操作スイッチを押した時点からレリーズタイムラグ状態の間、請求項１にあげた装置が作動を続け、当該外装品が視覚的に被撮影者の注意を引く事を可能にしたことを特徴とする。
【００１５】
請求項３に記載された発明は、請求項１に記載の発明において、携帯端末の背面カメラを用いて動画撮影する際、無線通信またはイヤホンジャック・導線を介して携帯端末と連動し、撮影の一定の期間、請求項１にあげた装置が作動し、当該外装品が視覚的に被撮影者の注意を引く事を可能にしたことを特徴とする。
【００１６】
請求項４に記載された発明は、携帯端末の背面またはその携帯端末に備え付けられるケースの背面に取付けられる外装品であって、携帯端末及びケースと着脱可能な取り付け部位を備え、操作スイッチを押すことにより連動して作動する可視光線を発生させる発光装置を保持する事を特徴とする。
【００１７】
請求項５に記載された発明の外装品は携帯端末ケースであって、請求項１ないし請求項４に記載の発明において、該携帯端末ケースが視覚的、聴覚的に人の注意を引くことが出来る装置のうちの少なくとも一つを保持する事を特徴とする。
【発明の効果】
【００１８】
請求項１に記載の外装品は、携帯端末及びケースと着脱可能な取り付け部位を備え、音を発生させる音波発生装置、または視覚情報を映し出す表示装置、または物体の一部または総てを動かす駆動装置のうちの少なくとも一つを保持する事により、被撮影者に視覚的あるいは聴覚的な注意を引くことが出来るため、容易に写真あるいは動画の優れた撮影効果を向上できる。
【００１９】
請求項２に記載の外装品は、無線通信またはイヤホンジャック・導線を介して携帯端末と連動し、操作スイッチを押すと写真撮影機のシャッターが半押し状態、即ちオートフォーカス装置が作動し焦点調節を行っている状態の間、音を発生させる音波発生装置、または視覚情報を映し出す表示装置、または物体の一部または総てを動かす駆動装置のうちの少なくとも一つにあげた装置が作動を続けることにより、被撮影者に視覚的あるいは聴覚的な注意を引くことが出来るため、容易に写真の優れた撮影効果を向上できる。
【００２０】
請求項３に記載の外装品は、携帯端末の背面カメラを用いて動画撮影する際、音を発生させる音波発生装置、または視覚情報を映し出す表示装置、または物体の一部または総てを動かす駆動装置のうちの少なくとも一つにあげた装置が作動を続けることにより、被撮影者に視覚的あるいは聴覚的な注意を引くことが出来るため、容易に動画の優れた撮影効果を向上できる。
【００２１】
請求項４に記載の外装品は、携帯端末の背面またはその携帯端末に備え付けられるケースの背面に取付けられる外装品であって、携帯端末及びケースと着脱可能な取り付け部位を備え、可視光線を発生させる発光装置を保持し、撮影者が操作スイッチを作動させている間に連動して装置が作動することにより、被撮影者に視覚的注意を引くことが出来るため、容易に動画の優れた撮影効果を向上できる。
【００２２】
請求項５に記載の外装品は、携帯端末ケースであって、該携帯端末ケースが視覚的、聴覚的に人の注意を引くことが出来る部位を配し、携帯端末のカメラを用いて写真撮影または動画撮影する際に音発生装置、または視覚情報を映し出す表示装置、または物体の一部または総てを動かす駆動装置、または発光装置のうちの少なくとも一つにあげた装置が作動することにより、被撮影者に視覚的あるいは聴覚的な注意を引くことが出来るため、容易に動画の優れた撮影効果を向上できる。
【図面の簡単な説明】
【００２３】
【図１】本発明の外装品を携帯端末本体に装備した状態を示した図
【図２】本発明の実施例１ないし３の外装品に音響装置を装備した状態図
【図３】本発明の実施例１ないし３の外装品に電飾装置を装備した状態図
【図４】本発明の実施例１ないし３の外装品に駆動装置を装備した状態図
【図５】図２ないし４の外装品のスイッチとシャッターボタンを無線通信発信機の無線信号で結んだ状態図
【図６】図２ないし４の外装品の外装品のスイッチとシャッターボタンをイヤホンジャックとを導線で結んだ状態図
【図７】本発明の実施例１ないし３の外装品をケース上に装備した状態図
【図８】本発明の実施例１ないし３の外装品をカバー上に装備した状態図
【図９】本発明の外装品がケースである状態を示した図
【発明を実施するための形態】
【００２４】
以下、本発明の実施の形態を図１ないし図９に基づいて説明する。
【００２５】
図１ないし図９において、１は携帯端末本体で、２の外装品とは写真撮影の際には３の連結層で貼り付けられる、あるいはメカニカル構造的な機構で物理的に嵌合されている）でつながれており、撮影終了後には取り外しケース等に入れて持ち歩く事が可能である。
【００２６】
また、図２ないし図８において、４は発音装置、７は発光装置、８は駆動装置で５-a、-b、-c、-ｄ、-eの導線にて６-a、-b、-c、-ｄ、-eのスイッチと繋がれており、９の無線通信発信機の無線信号で連動させるか、もしくは１０のイヤホンプラグは１１のコードを介して、装置のスイッチと撮影シャッターを連動させるものである。
【００２７】
図２ないし図６の各々はスイッチを入れる事により、効果を発揮する。尚、この４発音装置、７発光装置、８駆動装置のそれぞれは単独、或はまた複合して相乗した効果の発揮を期待でき、また４発音装置、７発光装置、８駆動装置は９無線通信発信機の無線信号にて、または１０イヤホンプラグ及び１１コードを介して撮影シャッターを単独、或はまた複合して連動させる事が可能である。
【００２８】
尚、図７および図８に示した１の携帯端末に併せて使用する１２のケースや１３の折り畳みカバーの上などの平面もしくは平坦に近い面が存在する場所にも、３の粘着性樹脂等で施された連結層を介して貼り付ける事が可能である。  以上の様に、本実施形態によれば、個々人により多様な使用状況やライフスタイルに合わせて、当該外装品を携帯端末もしくはケース等に取り付ける事が可能となり、本発明により、スマイル写真や正面を向いた（所謂カメラ目線）写真を極めて高い確率で得ることが出来る。
【００２９】
また、図９は外装品そのものが１０の携帯端末用ケースあるいはカバーである事を示した図であり、本発明に示してきた４発音装置、７発光装置、８駆動装置のそれぞれは単独、或はまた複合して相乗した効果の発揮を期待でき、さらに９無線通信発信機の無線信号、または１０イヤホンプラグ及び１０コードを装備する事によって撮影シャッターを単独、或はまた複合して連動させる事が可能となる。
【００３０】
＜外装品使用の目的＞
本発明は、写真または動画撮影機能の発達や高性能化に合わせて、携帯端末の外装品に今までには無かった、視覚的または及び聴覚的に注意を引く効果、あるいはその装置を無線通信あるいはイヤホンジャックと連動させて撮影する機能を持たせることにより、撮影シーンに調和し、効果的な写真や動画の撮影を実現する事を目的とするものである。
【００３１】
＜外装品の効能＞
ところで、写真や動画撮影の被撮影者が人物の場合には、その機器に向かって被写体人物が意識的に顔を向けるか、或は物や音の効果でそれを自覚させて撮影した場合に、“ナイス・ショット”の撮影写真を得ることが出来た経験則があったため、素人の写真愛好家は被撮影者となる人物に手足を動かしたり、縫い包みを動かしたり、鳴り物でその気を引く事や、「はい、チーズ」或は「はい、ウィスキー」などと呼びかけ「笑顔の時の口元である“イー”を意識的に作らせる」事がこれまでの通例であった。
【００３２】
また、プロの写真業者においても“ぬいぐるみ”や“鳴り物”を用いて、視覚的、聴覚的効果をその撮影シーンに合わせたものになどに工夫や趣向を加える事によりその効果が増す経験則があったたが、本発明による当該外装品の装置の作動を被写体人物が経験する事により、その人々の“驚きの表情”や“予期できなかった表情”、あるいは“スマイル写真”や“正面を向いた所謂「カメラ目線」の表情”の写真の撮影が極めて高い確率で得ることができる。
【００３３】
これらにより、焦点が合わない事による被写体像の不鮮明や不表情となった“不要な写真を撮る回数”を激減させる事が可能となり、そのシーンに適合した撮影者の思った表情の写真が得られる確率を著しく向上させることが出来るため、無闇にストックする写真データの数を激減させることが可能となる。
【００３４】
＜実施例１＞
例えば被撮影者が乳幼児の場合は、撮影者が外装品に動物やキャラクターを用い、「ガラガラ、ピーシャラ〜」などの音響あるいはカラフルな視覚効果を用いる事で、視覚的、または聴覚的、または稀には触覚的に注意を引く事が可能になり、よろこんだ表情の写真を撮影する事が可能となり、またその多くがカメラ目線（カメラの方向に表情を向けている）の状態で撮影をすることが出来た。
【００３５】
＜実施例２＞
被撮影者が児童の場合は物体に童話、昔話、絵本、ＴＶ番組のキャラクターや自動車・航空機などの機械製品を用い、「浦島太郎だよ〜」「インコだよ〜」などの音響あるいは音声効果を用いる事で、また被撮影者が生徒あるいは学生の場合は、ＴＶ番組のキャラクターや芸人、アイドル、ゲームの主人公などの所謂ギャグやキャッチコピーを使った音響あるいは音声効果あるいは刺激的な視覚効果を用いる事で、よろこんだ表情の写真を撮影する事が可能となり、またその多くがカメラ目線（カメラの方向に表情を向けている）の状態で撮影をすることが出来た。かつてのプリクラと同様のカメラ目線の写真の撮影を可能とさせた例である。
【００３６】
＜実施例３＞
また、これらの効果は撮影シーン毎にも適応させることが出来るため、結婚式や各種パーティーや宴会などには、物体に開催される会の趣旨に敵した人形やデコレーションやメッセージの表示を用い、「結婚おめでとう〜」「Happy Birthday」（７）
「今日はオフレコの忘年会だー！！」・・・などなどの音響や音声効果や表示効果を用いる事で、被撮影者の誰もの表情が微笑んだ写真の撮影が出来ると共に、そのほとんどの被撮影者のカメラ目線（カメラの方向に表情を向けている）の表情を撮影することが出来た。これは、例えば婚礼親族集合写真を撮る際にプロの写真家が、従来からカメラに目線を集めるのに苦労をして撮影を行ってきた事を、本外装品が一瞬にして可能とさせた例である。
【００３７】
＜撮影目的以外への応用例１＞
また、この物体は、家庭内や外出の際の乳幼児をあやす単体としての活用の仕方も可能であり、視覚的、聴覚的、稀には触覚的な機能を、携帯電話端末に取り付ける事なくして用いる事が可能であり、これまで外出時に携帯したあやす道具を増やすことなく、その代用としても使用が可能とさせた例である。
【符号の説明】
【００３８】
１：携帯電話端末本体
２：外装品
３：連結層
４：発音装置
５-a、-b、-c、-ｄ、-e：導線
６-a、-b、-c、-ｄ、-e：スイッチ
７：発光装置
８：駆動装置
９：無線通信発信機
１０：イヤホンプラグ
１１：コード
１２：ケース
１３：折り畳みカバー
【図１】
2017208695.tif 000003
【図２】
2017208695.tif 000004
【図３】
2017208695.tif 000005
【図４】
2017208695.tif 000006
【図５】
2017208695.tif 000007
【図６】
2017208695.tif 000008
【図７】
2017208695.tif 000009
【図８】
2017208695.tif 000010
【図９】
2017208695.tif 000011
【手続補正書】
【提出日】平成28年8月1日(2016.8.1)
【手続補正１】
【補正対象書類名】特許請求の範囲
【補正対象項目名】全文
【補正方法】変更
【補正の内容】
【特許請求の範囲】
【請求項１】
携帯端末の背面またはその携帯端末に備え付けられるケースの背面に取付けられる外装品であって、視覚的に人の注意を引き付ける形態を有し、前記背面と連結層を介して着脱可能な取り付け部位を備え、聴覚的に人の注意を引く音を発生させる音波発生装置、視覚情報を映し出す表示装置または物体の一部もしくは総てを動かす駆動装置のうちの少なくとも一つを保持する事を特徴とする外装品。
【請求項２】
携帯端末の背面カメラを用いて写真撮影する際、無線通信またはイヤホンジャックを介して携帯端末と連動し、操作スイッチを押すと撮影機のシャッターが半押し状態、即ちオートフォーカス装置が作動し焦点調節を行っている状態の間、前記少なくとも一つの装置が作動を続け、当該外装品が視覚的あるいは聴覚的に人の注意を引く事を可能にしたことを特徴とする請求項１に記載の外装品。
【請求項３】
携帯端末の背面カメラを用いて動画撮影する際、無線通信またはイヤホンジャックを介して携帯端末と連動し、撮影の一定の期間、前記少なくとも一つの装置が作動し、当該外装品が視覚的あるいは聴覚的に人の注意を引く事を可能にしたことを特徴とする請求項1に記載の外装品。
【請求項４】
携帯端末の背面またはその携帯端末に備え付けられるケースの背面に取付けられる外装品であって、視覚的に人の注意を引き付ける形態を有し、前記背面と連結層を介して着脱可能な取り付け部位を備え、可視光線を発生させる発光装置を保持し、操作スイッチを押すことにより連動して作動する事を特徴とする外装品。
【手続補正書】
【提出日】平成28年11月16日(2016.11.16)
【手続補正１】
【補正対象書類名】特許請求の範囲
【補正対象項目名】全文
【補正方法】変更
【補正の内容】
【特許請求の範囲】
【請求項１】
携帯端末の背面カメラを用いて写真撮影または動画撮影する際、携帯端末の背面またはその携帯端末に備え付けられるケースの背面に取付けられて連動する外装品であって、視覚的に被撮影者の関心を引き付ける形態を有し、前記背面と連結層を介して着脱可能な取り付け部位を備え、聴覚的に被撮影者の関心を引く音を発生させる音波発生装置、視覚情報を映し出す表示装置または物体の一部もしくは総てを動かす駆動装置のうちの少なくとも一つを保持する事を特徴とする外装品。
【請求項２】
携帯端末の背面カメラを用いて写真撮影する際、無線通信またはイヤホンジャックを介して携帯端末と連動し、操作スイッチを押すと撮影機のシャッターが半押し状態、即ちオートフォーカス装置が作動し焦点調節を行っている状態の間、前記少なくとも一つの装置が作動を続け、当該外装品が視覚的あるいは聴覚的に被撮影者の関心を引く事を可能にしたことを特徴とする請求項１に記載の外装品。
【請求項３】
携帯端末の背面カメラを用いて動画撮影する際、無線通信またはイヤホンジャックを介して携帯端末と連動し、撮影の一定の期間、前記少なくとも一つの装置が作動し、当該外装品が視覚的あるいは聴覚的に被撮影者の関心を引く事を可能にしたことを特徴とする請求項1に記載の外装品。
【請求項４】
携帯端末の背面カメラを用いて写真撮影または動画撮影する際、携帯端末の背面またはその携帯端末に備え付けられるケースの背面に取付けられて連動する外装品であって、視覚的に被撮影者の関心を引き付ける形態を有し、前記背面と連結層を介して着脱可能な取り付け部位を備え、可視光線を発生させる発光装置を保持し、操作スイッチを押すことにより連動して作動する事を特徴とする外装品。